【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
報知部材と、
遊技球が打ち込まれる遊技領域に、該遊技領域を流下する遊技球が入球可能な始動入賞口が配置されるとともに各種画像を表示する表示装置が配置される遊技盤と、
該遊技盤を着脱自在に取り付ける本体枠と、
該本体枠の一側に開閉自在に軸支されて前記遊技盤の遊技領域を視認可能な開口窓が形成される前面枠と、
前記始動入賞口に遊技球が入球したことに基づいて遊技の進行を制御する主制御基板と、
該主制御基板からの遊技に関するコマンドに基づいて前記表示装置の表示を制御する周辺制御基板と、
を備えるパチンコ機であって、
前記遊技盤は、少なくとも、
当該遊技盤の前面の予め定めた固定位置に、前記パチンコ機の対面に着座する遊技者の手又は腕の動きによる遊技者の動作を、前記開口窓を介して、検出可能な非接触式の動作検出センサ
を備え、
前記周辺制御基板は、少なくとも、
前記報知部材を駆動する報知部材駆動制御手段と、
前記表示装置で各種画像を表示して演出を実行する演出実行制御手段と、
前記動作検出センサからの検出信号に基づいて前記遊技者の動作の有無を判定する動作有無判定制御手段と、
遊技者待ちのデモンストレーション演出を実行するか否かを判定するデモ演出実行判定制御手段と、
前記動作有無判定制御手段による判定結果を無効化する無効化制御手段と、を備え、
当該周辺制御基板は、前記主制御基板からの前記遊技に関するコマンドを予め定めた期間が経過しても受信することができないときにはこれを契機として前記デモ演出実行判定制御手段により前記デモンストレーション演出を実行すると判定し、前記演出実行制御手段により前記表示装置でデモンストレーション画像を表示して当該デモンストレーション演出を実行し、当該デモンストレーション演出の実行中における予め定めた動作制限期間内に前記動作有無判定制御手段により前記遊技者の動作があったと判定したときには、当該デモンストレーション演出の実行を中断することなく、前記報知部材駆動制御手段により前記報知部材を駆動してその旨を報知する一方、当該デモンストレーション演出の実行中における前記予め定めた動作制限期間外に前記動作有無判定制御手段により前記遊技者の動作があったと判定したときには、当該デモンストレーション演出の実行を中断することなく、その判定結果を前記無効化制御手段により無効化することによって前記報知部材駆動制御手段により前記報知部材を駆動して当該遊技者の動作があった旨を報知することを禁止することを特徴とするパチンコ機。
【手続補正２】
【補正対象書類名】明細書
【補正対象項目名】０００８
【補正方法】変更
【補正の内容】
【０００８】
（解決手段１）
報知部材と、遊技球が打ち込まれる遊技領域に、該遊技領域を流下する遊技球が入球可能な始動入賞口が配置されるとともに各種画像を表示する表示装置が配置される遊技盤と、該遊技盤を着脱自在に取り付ける本体枠と、該本体枠の一側に開閉自在に軸支されて前記遊技盤の遊技領域を視認可能な開口窓が形成される前面枠と、前記始動入賞口に遊技球が入球したことに基づいて遊技の進行を制御する主制御基板と、該主制御基板からの遊技に関するコマンドに基づいて前記表示装置の表示を制御する周辺制御基板と、を備えるパチンコ機であって、前記遊技盤は、少なくとも、当該遊技盤の前面の予め定めた固定位置に、前記パチンコ機の対面に着座する遊技者の手又は腕の動きによる遊技者の動作を、前記開口窓を介して、検出可能な非接触式の動作検出センサを備え、前記周辺制御基板は、少なくとも、前記報知部材を駆動する報知部材駆動制御手段と、前記表示装置で各種画像を表示して演出を実行する演出実行制御手段と、前記動作検出センサからの検出信号に基づいて前記遊技者の動作の有無を判定する動作有無判定制御手段と、遊技者待ちのデモンストレーション演出を実行するか否かを判定するデモ演出実行判定制御手段と、前記動作有無判定制御手段による判定結果を無効化する無効化制御手段と、を備え、当該周辺制御基板は、前記主制御基板からの前記遊技に関するコマンドを予め定めた期間が経過しても受信することができないときにはこれを契機として前記デモ演出実行判定制御手段により前記デモンストレーション演出を実行すると判定し、前記演出実行制御手段により前記表示装置でデモンストレーション画像を表示して当該デモンストレーション演出を実行し、当該デモンストレーション演出の実行中における予め定めた動作制限期間内に前記動作有無判定制御手段により前記遊技者の動作があったと判定したときには、当該デモンストレーション演出の実行を中断することなく、前記報知部材駆動制御手段により前記報知部材を駆動してその旨を報知する一方、当該デモンストレーション演出の実行中における前記予め定めた動作制限期間外に前記動作有無判定制御手段により前記遊技者の動作があったと判定したときには、当該デモンストレーション演出の実行を中断することなく、その判定結果を前記無効化制御手段により無効化することによって前記報知部材駆動制御手段により前記報知部材を駆動して当該遊技者の動作があった旨を報知することを禁止することを特徴とするパチンコ機。
【手続補正３】
【補正対象書類名】明細書
【補正対象項目名】０００９
【補正方法】変更
【補正の内容】
【０００９】
このパチンコ機では、報知部材、遊技盤、本体枠、前面枠、主制御基板、周辺制御基板を備えている。遊技盤は、遊技球が打ち込まれる遊技領域が形成されており、この遊技領域を流下する遊技球が入球することができる始動入賞口が配置されるとともに各種画像を表示する表示装置が配置されている。本体枠は、遊技盤を着脱自在に取り付けることができるようになっている。前面枠は、本体枠の一側に開閉自在に軸支されており、遊技盤の遊技領域を視認することができる開口窓が形成されている。主制御基板は、始動入賞口に遊技球が入球したことに基づいて遊技の進行を制御している。周辺制御基板は、主制御基板からの遊技に関するコマンドに基づいて表示装置の表示を制御している。
【手続補正４】
【補正対象書類名】明細書
【補正対象項目名】００１１
【補正方法】変更
【補正の内容】
【００１１】
周辺制御基板は、少なくとも、報知部材駆動制御手段、演出実行制御手段、動作有無判定制御手段、デモ演出実行判定制御手段、無効化制御手段を備えている。報知部材駆動制御手段は、報知部材を駆動するものである。演出実行制御手段は、表示装置で各種画像を表示して演出を実行するものである。動作有無判定制御手段は、動作検出センサからの検出信号に基づいてパチンコ機の対面に着座する遊技者の手又は腕の動きによる遊技者の動作の有無を判定するものである。デモ演出実行判定制御手段は、遊技者待ちのデモンストレーション演出を実行するか否かを判定するものである。無効化制御手段は、動作有無判定制御手段による判定結果を無効化するものである。周辺制御基板は、主制御基板からの遊技に関するコマンドを予め定めた期間が経過しても受信することができないときにはこれを契機としてデモ演出実行判定制御手段によりデモンストレーション演出を実行すると判定し、演出実行制御手段により表示装置でデモンストレーション画像を表示してデモンストレーション演出を実行し、このデモンストレーション演出の実行中における予め定めた動作制限期間内に動作有無判定制御手段により遊技者の動作があったと判定したときには、このデモンストレーション演出の実行を中断することなく、報知部材駆動制御手段により報知部材を駆動してその旨を報知している一方、このデモンストレーション演出の実行中における予め定めた動作制限期間外に動作有無判定制御手段により遊技者の動作があったと判定したときには、このデモンストレーション演出の実行を中断することなく、その判定結果を無効化制御手段により無効化することによって報知部材駆動制御手段により報知部材を駆動して遊技者の動作があった旨を報知することを禁止している。
【手続補正５】
【補正対象書類名】明細書
【補正対象項目名】００１３
【補正方法】変更
【補正の内容】
【００１３】
このような遊技者待ちのデモンストレーション演出が実行されている際に、パチンコ機の対面に遊技者が着座して手又は腕を動かすと、その手や腕が、本体枠に形成された開口窓を介して、遊技盤に配置された非接触式の動作検出センサにより検出され、遊技者の手又は腕の動きによる遊技者の動作があった旨が報知部材から報知されるようになっている。このように、遊技者待ちのデモンストレーション演出が実行されている際に、パチンコ機の対面に遊技者が着座して手又は腕を動かすと、これにパチンコ機が応答して動作があった旨が報知部材から報知されるようになっているので、遊技者は、例えば、両手を勢いよく振り下ろして一刀両断となる動作を試したり、手を振ったり等、さまざまな動作を試すことができる。これにより、遊技者に自由な発想を促すことで遊技者は自身の動作に興味を見出すことができるので、遊技者待ちのデモンストレーション演出が集客効果を高めることに寄与することができる。一方、ホールの店員等のメンテナンス者が動作検出センサに不具合が生じているか否かを確認する場合には、遊技者待ちのデモンストレーション演出が実行されている際に、パチンコ機の対面に遊技者が着座して手又は腕を動かす領域内に自身の手又は腕を動かすと、その手や腕が、上述したように、本体枠に形成された開口窓を介して、遊技盤に配置された非接触式の動作検出センサにより検出され、メンテナンス者の手又は腕の動きによる遊技者の動作があったと判定されたときにはその旨が報知部材から報知されるようになっている。このように、遊技者待ちのデモンストレーション演出が実行されている際に、パチンコ機の対面に遊技者が着座して手又は腕を動かす領域内にメンテナンス者が自身の手又は腕を動かすと、これにパチンコ機が応答して動作があった旨が報知部材から報知されるようになっているので、メンテナンス者は、報知部材からの報知の有無で動作検出センサに不具合が生じているか否かを極めて簡単に確認することができる。
【手続補正６】
【補正対象書類名】明細書
【補正対象項目名】００１４
【補正方法】変更
【補正の内容】
【００１４】
このように、本発明のパチンコ機では、遊技者待ちのデモンストレーション演出の実行中における予め定めた動作制限期間内に動作有無判定制御手段により遊技者の動作があったと判定したときには、この遊技者待ちのデモンストレーション演出の実行を中断することなく、報知部材駆動制御手段により報知部材を駆動してその旨を報知しているため、遊技者待ちのデモンストレーション演出が実行されている際に、遊技者又はメンテナンス者の手や腕の動きに応答する態様で報知部材から報知されるようになっている。これにより、遊技者に自由な発想を促すことで遊技者は自身の動作に興味を見出すことができるので、遊技者待ちのデモンストレーション演出が集客効果を高めることに寄与することができるし、メンテナンス者は遊技者待ちのデモンストレーション演出を利用して動作検出センサに不具合が生じているか否かを極めて簡単に確認することができる。したがって、集客効果を高めつつ、動作検出センサの不具合を確認することができる。
また、遊技者待ちのデモンストレーション演出の実行中における予め定めた動作制限期間外に動作有無判定制御手段により遊技者の動作があったと判定したときには、この遊技者待ちのデモンストレーション演出の実行を中断することなく、その判定結果を無効化制御手段により無効化することによって報知部材駆動制御手段により報知部材を駆動して遊技者の動作があった旨を報知することを禁止しているため、遊技者待ちのデモンストレーション演出が実行されている際に、パチンコ機の対面に遊技者が着座して手又は腕を繰り返し動かすことで報知音がスピーカから流れ続ける状態を回避することができるし、報知音がスピーカから流れなくなることで遊技者に遊技者待ちのデモンストレーション演出における動作検出センサによる遊技が終了した旨を伝えて遊技の開始を促すこともできる。
【手続補正７】
【補正対象書類名】明細書
【補正対象項目名】００１５
【補正方法】変更
【補正の内容】
【００１５】
本実施形態では、例えば、図１のスピーカ３６が報知部材に相当し、図４の遊技領域１２が遊技領域に相当し、図４の始動入賞口４５及び電動始動入賞口４６が始動入賞口に相当し、図４の演出装置４０が表示装置に相当し、図４の遊技盤４が遊技盤に相当し、図２の本体枠３が本体枠に相当し、図２の開口窓３０が開口窓に相当し、図２の前面枠５が前面枠５に相当し、図１６の主制御基板１０１が主制御基板に相当し、図１６のサブ統合基板１１１が周辺制御基板に相当し、図１のパチンコ機１がパチンコ機に相当し、図４の測距センサ１１９が動作検出センサに相当し、図２６のリセット処理におけるステップＳ１０８の３２ｍｓの定常処理で「スピーカ３６を駆動して効果音等が流れるように音波装置１１５を制御するコマンドを波形制御基板１１４に出力する処理」が報知部材駆動制御手段に相当し、図２６のリセット処理におけるステップＳ１０８の３２ｍｓの定常処理で「液晶表示器１１６の表示領域４２に表示する演出内容を規定する演出コマンドを作成して液晶制御基板１１３に出力する処理」が演出実行制御手段に相当し、図２６のリセット処理におけるステップＳ１０８の３２ｍｓの定常処理の一処理である動作有無判定処理が動作有無判定制御手段に相当し、図２６のリセット処理におけるステップＳ１０８の３２ｍｓの定常処理の一処理であるデモ演出実行判定処理がデモ演出実行判定制御手段に相当し、図２６のリセット処理におけるステップＳ１０８の３２ｍｓの定常処理の一処理である判定結果無効化処理が無効化制御手段に相当する。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
（解決手段２）
解決手段１に記載のパチンコ機であって、前記デモンストレーション演出には、前記遊技者の動作による危険行為の防止を促す内容が含まれることを特徴とするパチンコ機。こうすれば、例えば、パチンコ機の対面に着座する遊技者がその手にタバコを持ったまま自身の手や腕を動かす場合等によって、他の遊技者に迷惑をかけるおそれのある危険行為の防止を遊技者に促すことができる。
【手続補正１３】
【補正対象書類名】明細書
【補正対象項目名】００２２
【補正方法】変更
【補正の内容】
【００２２】
本発明の請求項１においては、集客効果を高めつつ、動作検出センサの不具合を確認することができる。